【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
中央コンピュータシステムにおいて、前記中央コンピュータシステムから遠く離れた第１のユーザシステムから、１つまたは複数の消費品目についての識別および量データを受信することと、前記第１のユーザシステムは、前記識別および量データを判断するための１つまたは複数の重量感知デバイスを備える、
前記受信された識別および量データに基づいて前記１つまたは複数の消費品目についての消費メトリックを判断することと、
前記消費メトリックに基づいて消費関係情報を生成することと、
前記中央コンピュータシステムから、前記第１のユーザシステムに前記消費関係情報を送信することと
を備える方法。
【請求項２】
前記中央コンピュータシステムにおいて、複数の異なるユーザシステムからの追加の識別および量データを受信することと、前記複数の異なるユーザシステムの各々は、前記追加の識別および量データを判断するための１つまたは複数の追加の重量感知デバイスを備える、
前記第１のユーザシステムからの前記受信された識別および量データならびに前記複数の異なるユーザシステムからの前記追加の識別および量データに基づいて前記１つまたは複数の消費品目についての集積消費メトリックを判断することと
をさらに備える、請求項１に記載の方法。
【請求項３】
消費関係情報を生成することが、前記第１のユーザシステムおよび前記複数の異なるユーザシステムのための前記１つまたは複数の消費品目の補充に対する十分な供給を与える際に使用するサプライチェーン流通情報を生成することを備える、請求項２に記載の方法。
【請求項４】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項２に記載の方法。
【請求項５】
前記消費関係情報が、前記１つまたは複数の消費品目についての前記消費メトリックに基づく１つまたは複数のレシピを備える、請求項１に記載の方法。
【請求項６】
前記消費関係情報が、前記第１のユーザシステムの第１のユーザのための健康アドバイスを備える、請求項１に記載の方法。
【請求項７】
前記健康アドバイスは、１つまたは複数の消費品目の消費がターゲットしきい値から所定の差を超えることを示す、前記第１のユーザへの警告を備える、請求項６に記載の方法。
【請求項８】
消費関係情報を生成することが、前記第１のユーザシステムに関連する第１のユーザによって消費される１つまたは複数の消費品目についての、前記第１のユーザのためのクーポンを生成することを備える、請求項１に記載の方法。
【請求項９】
消費関係情報を生成することが、前記第１のユーザシステムに関連する第１のユーザによって消費される１つまたは複数の消費品目についての前記消費メトリックに基づいて、前記第１のユーザに方向づけられた広告を提供することを備える、請求項１に記載の方法。
【請求項１０】
識別および量データを前記受信することが、識別および量データを周期的に受信することを備え、
前記消費メトリックを前記判断することが、経時的な量データの差に基づく、請求項１に記載の方法。
【請求項１１】
識別および量データを前記受信することが、第１の消費品目についての識別および量データを周期的に受信することを備え、
前記消費メトリックを前記判断することが、前記第１の消費品目の枯渇率に基づく、請求項１に記載の方法。
【請求項１２】
前記消費メトリックを判断することが、前記第１の消費品目の複数の補充にわたる前記第１の消費品目の平均枯渇率に基づく、請求項１１に記載の方法。
【請求項１３】
前記消費メトリックに基づいて前記消費関係情報を生成することは、
１つまたは複数の消費品目が枯渇したかまたは枯渇に近づいていることを示す、前記第１のユーザシステムへの補充通知を生成すること
を備える、請求項１に記載の方法。
【請求項１４】
前記補充通知を生成することは、
前記１つまたは複数の消費品目についての量データが前記１つまたは複数の消費品目に関連する量しきい値を下回ると判断することと、
前記補充通知を生成することと
を備える、請求項１３に記載の方法。
【請求項１５】
前記消費メトリックが、消費品目についての消費率を備え、
前記補充通知を生成することは、
前記消費率に基づいて、前記消費品目が、あらかじめ設定された時間期間内に枯渇することが予想されると判断することと、
前記補充通知を生成することと
を備える、請求項１３に記載の方法。
【請求項１６】
前記消費品目についての前記あらかじめ設定された時間期間が、前記第１のユーザシステムによって選択可能である、請求項１５に記載の方法。
【請求項１７】
第１のユーザシステムから１つまたは複数の消費品目についての識別および量データを受信し、前記受信された識別および量データに基づいて前記１つまたは複数の消費品目についての消費メトリックを判断し、前記第１のユーザシステムは、前記識別および量データを判断するための１つまたは複数の重量感知表面を備える、コレクタモジュールと、
前記消費メトリックに基づいて消費関係情報を生成する消費関係情報生成器モジュールと、
前記第１のユーザシステムに前記消費関係情報を送信するネットワークインターフェースモジュールと
を備える、装置。
【請求項１８】
前記コレクタモジュールが、前記第１のユーザシステムからの前記受信された識別および量データならびに複数の異なるユーザシステムからの追加の識別および量データからのに基づいて前記１つまたは複数の消費品目についての集積消費メトリックを判断する、請求項１７に記載の装置。
【請求項１９】
前記消費関係情報生成器モジュールが、前記集積消費メトリックに基づいて前記第１のユーザシステムおよび前記複数の異なるユーザシステムのための前記１つまたは複数の消費品目の十分な供給を与える際に使用するサプライチェーン流通情報を提供する、請求項１８に記載の装置。
【請求項２０】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項１８に記載の装置。
【請求項２１】
前記消費関係情報が、前記１つまたは複数の消費品目についての前記消費メトリックに基づく１つまたは複数のレシピを備える、請求項１７に記載の装置。
【請求項２２】
前記消費関係情報が、前記第１のユーザシステムの第１のユーザのための健康アドバイスを備える、請求項１７に記載の装置。
【請求項２３】
前記健康アドバイスは、１つまたは複数の消費品目の消費がターゲットしきい値から所定の差を超えることを示す警告を備える、請求項２２に記載の装置。
【請求項２４】
前記消費関係情報が、前記第１のユーザシステムに関連する第１のユーザによって消費される１つまたは複数の消費品目についての、前記第１のユーザのためのクーポンを備える、請求項１７に記載の装置。
【請求項２５】
前記消費関係情報が、前記第１のユーザシステムに関連する第１のユーザによって消費される１つまたは複数の消費品目についての前記消費メトリックに基づいて、前記第１のユーザへの方向づけられた広告を備える、請求項１７に記載の装置。
【請求項２６】
前記コレクタモジュールが、前記１つまたは複数の消費品目についての前記識別および量データの定期的更新を受信し、前記１つまたは複数の消費品目の枯渇率に基づいて前記消費メトリックを判断する、請求項１７に記載の装置。
【請求項２７】
前記消費メトリックが、前記１つまたは複数の消費品目の複数の補充にわたる１つまたは複数の第１の消費品目の平均枯渇率に基づいて判断される、請求項２６に記載の装置。
【請求項２８】
前記ネットワークインターフェースモジュールは、１つまたは複数の消費品目が枯渇したかまたは枯渇に近づいていることを示す補充通知を、前記第１のユーザシステムに与える、請求項１７に記載の装置。
【請求項２９】
前記消費メトリックが、消費品目についての消費率を備え、
前記消費関係情報生成器モジュールは、前記消費率に基づいて、前記消費品目があらかじめ設定された時間期間内に枯渇することが予想されると判断し、前記補充通知を生成する、請求項２８に記載の装置。
【請求項３０】
受信するための手段から遠く離れた第１のユーザシステムから、１つまたは複数の消費品目についての識別および量データを受信するための前記手段と、前記第１のユーザシステムは、前記識別および量データを判断するための１つまたは複数の重量感知手段を備える、
前記受信された識別および量データに基づいて前記１つまたは複数の消費品目についての消費メトリックを判断するための手段と、
前記消費メトリックに基づいて消費関係情報を生成するための手段と、
前記第１のユーザシステムに前記消費関係情報を送信するための手段と
を備えるシステム。
【請求項３１】
複数の異なるユーザシステムからの追加の識別および量データを受信するための手段と、前記複数の異なるユーザシステムの各々は、前記追加の識別および量データを判断するための１つまたは複数の追加の重量感知手段を備え、
前記第１のユーザシステムからの前記受信された識別および量データならびに前記複数の異なるユーザシステムからの前記追加の識別および量データに基づいて前記１つまたは複数の消費品目についての集積消費メトリックを判断するための手段と
をさらに備える、請求項３０に記載のシステム。
【請求項３２】
消費関係情報を生成するための前記手段が、
前記第１のユーザシステムおよび前記複数の異なるユーザシステムのための前記１つまたは複数の消費品目の補充に対する十分な供給を与える際に使用するサプライチェーン流通情報を生成するための手段を備える、請求項３１に記載のシステム。
【請求項３３】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項３１に記載のシステム。
【請求項３４】
前記消費関係情報が、前記１つまたは複数の消費品目についての前記消費メトリックに基づく１つまたは複数のレシピを備える、請求項３０に記載のシステム。
【請求項３５】
前記消費関係情報が、前記第１のユーザシステムの第１のユーザのための健康アドバイスを備える、請求項３０に記載のシステム。
【請求項３６】
前記健康アドバイスは、１つまたは複数の消費品目の消費がターゲットしきい値から所定の差を超えることを示す、前記第１のユーザへの警告を備える、請求項３５に記載のシステム。
【請求項３７】
識別および量データを受信するための前記手段が、識別および量データを周期的に受信するための手段を備え、
前記消費メトリックを判断するための前記手段が、経時的な量データの差に基づいて前記消費メトリックを判断するための手段を備える、請求項３０に記載のシステム。
【請求項３８】
プロセッサによって実行可能なコードを記憶する非一時的コンピュータ可読媒体であって、前記コードは、
中央コンピュータシステムにおいて、前記中央コンピュータシステムから遠く離れた第１のユーザシステムから、１つまたは複数の消費品目についての識別および量データを受信するためのコードと、前記第１のユーザシステムは、前記識別および量データを判断するための１つまたは複数の重量感知デバイスを備える、
前記受信された識別および量データに基づいて前記１つまたは複数の消費品目についての消費メトリックを判断するためのコードと、
前記消費メトリックに基づいて消費関係情報を生成するためのコードと、
前記中央コンピュータシステムから、前記第１のユーザシステムに前記消費関係情報を送信するためのコードと
を備える非一時的コンピュータ可読媒体。
【請求項３９】
前記コードは、
前記中央コンピュータシステムにおいて、複数の異なるユーザシステムからの追加の識別および量データを受信するためのコードと、前記複数の異なるユーザシステムの各々は、前記追加の識別および量データを判断するための１つまたは複数の追加の重量感知デバイスを備える、
前記第１のユーザシステムからの前記受信された識別および量データならびに前記複数の異なるユーザシステムからの前記追加の識別および量データに基づいて前記１つまたは複数の消費品目についての集積消費メトリックを判断するためのコードと
をさらに備える、請求項３８に記載の非一時的コンピュータ可読媒体。
【請求項４０】
消費関係情報を生成するための前記コードが、前記第１のユーザシステムおよび前記複数の異なるユーザシステムのための前記１つまたは複数の消費品目の補充に対する十分な供給を与える際に使用するサプライチェーン流通情報を生成するためのコードを備える、請求項３９に記載の非一時的コンピュータ可読媒体。
【請求項４１】
前記第１のユーザシステムおよび前記複数の異なるユーザシステムが、定義された地理的エリアと、定義された購買層と、定義された利益団体と、定義されたソーシャルネットワークとのうちの１つまたは複数内のユーザシステムを備える、請求項３９に記載の非一時的コンピュータ可読媒体。
【請求項４２】
前記消費関係情報が、前記１つまたは複数の消費品目についての前記消費メトリックに基づく１つまたは複数のレシピを備える、請求項３８に記載の非一時的コンピュータ可読媒体。
【請求項４３】
前記消費関係情報が、前記第１のユーザシステムの第１のユーザのための健康アドバイスを備える、請求項３８に記載の非一時的コンピュータ可読媒体。
【請求項４４】
前記健康アドバイスは、１つまたは複数の消費品目の消費がターゲットしきい値から所定の差を超えることを示す、前記第１のユーザへの警告を備える、請求項４３に記載の非一時的コンピュータ可読媒体。
【請求項４５】
消費関係情報を生成するための前記コードが、前記第１のユーザシステムに関連する第１のユーザによって消費される１つまたは複数の消費品目についての、前記第１のユーザのためのクーポンを生成するためのコードを備える、請求項３８に記載の非一時的コンピュータ可読媒体。
【請求項４６】
消費関係情報を生成するための前記コードが、前記第１のユーザシステムに関連する第１のユーザによって消費される１つまたは複数の消費品目についての前記消費メトリックに基づいて、前記第１のユーザに方向づけられた広告を提供するためのコードを備える、請求項３８に記載の非一時的コンピュータ可読媒体。
【請求項４７】
識別および量データを受信するための前記コードが、識別および量データを周期的に受信するためのコードを備え、
前記消費メトリックを判断するための前記コードが、経時的な量データの差に基づいて前記消費メトリックを判断するためのコードを備える、請求項３８に記載の非一時的コンピュータ可読媒体。
【請求項４８】
識別および量データを受信するための前記コードが、第１の消費品目についての識別および量データを周期的に受信するためのコードを備え、
前記消費メトリックを判断するための前記コードが、前記第１の消費品目の枯渇率に基づいて前記消費メトリックを判断するためのコードを備える、請求項３８に記載の非一時的コンピュータ可読媒体。
【手続補正２】
【補正対象書類名】明細書
【補正対象項目名】００５１
【補正方法】変更
【補正の内容】
【００５１】
[0067]本開示についての以上の説明は、当業者が本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についてのプリファレンスを暗示せず、または必要としない。したがって、本開示は、本明細書で説明する例および設計に限定されるべきでなく、本明細書で開示する原理および新規の特徴に合致する最も広い範囲を与えられるべきである。
以下に、本願出願の当初の特許請求の範囲に記載された発明を付記する。
［Ｃ１］
コンピュータシステムにおいて、前記コンピュータシステムから遠く離れた複数の重量感知デバイスから、１つまたは複数の消費品目についての識別および量データを受信することと、
前記受信されたデータに基づいて前記１つまたは複数の消費品目についての消費メトリックを判断することと、
前記消費メトリックに基づいて消費関係情報を生成することとを備える方法。
［Ｃ２］
前記複数の重量感知デバイスが複数の異なるユーザに関連し、
消費メトリックを判断することが、前記複数の異なるユーザからの前記受信された情報に基づいて前記１つまたは複数の消費品目についての集積消費メトリックを判断することを備える、Ｃ１に記載の方法。
［Ｃ３］
消費関係情報を生成することが、前記複数のユーザのための前記１つまたは複数の消費品目の補充に対する十分な供給を与える際に使用するサプライチェーン流通情報を生成することを備える、Ｃ２に記載の方法。
［Ｃ４］
前記複数のユーザが、定義された地理的エリアと、定義された購買層と、定義された利益団体と、定義されたソーシャルネットワークとのうちの１つまたは複数内のユーザを備える、Ｃ２に記載の方法。
［Ｃ５］
前記消費関係情報が、前記１つまたは複数の消費品目についての前記消費メトリックに基づく１つまたは複数のレシピを備える、Ｃ１に記載の方法。
［Ｃ６］
前記消費関係情報が第１の重量感知面の第１のユーザのための健康アドバイスを備える、Ｃ１に記載の方法。
［Ｃ７］
前記健康アドバイスは、１つまたは複数の消費品目の消費がターゲットしきい値から所定の差を超えることを示す、前記第１のユーザへの警告を備える、Ｃ６に記載の方法。
［Ｃ８］
消費関係情報を生成することが、第１の重量感知面に関連する第１のユーザによって消費される１つまたは複数の消費品目についての、前記第１のユーザのためのクーポンを生成することを備える、Ｃ１に記載の方法。
［Ｃ９］
消費関係情報を生成することが、第１の重量感知面に関連する第１のユーザによって消費される１つまたは複数の消費品目についての前記消費メトリックに基づいて、前記第１のユーザに方向づけられた広告を提供することを備える、Ｃ１に記載の方法。
［Ｃ１０］
識別および量データを前記受信することが、識別および量データを周期的に受信することを備え、
消費メトリックを前記判断することが経時的な量データの差に基づく、Ｃ１に記載の方法。
［Ｃ１１］
識別および量データを前記受信することが、第１の消費品目についての識別および量データを周期的に受信することを備え、
消費メトリックを前記判断することが前記第１の消費品目の枯渇率に基づく、Ｃ１に記載の方法。
［Ｃ１２］
消費メトリックを判断することが、前記第１の消費品目の複数の補充にわたる前記第１の消費品目の平均枯渇率に基づく、Ｃ１１に記載の方法。
［Ｃ１３］
前記消費メトリックに基づいて消費関係情報を生成することは、
１つまたは複数の消費品目が枯渇したかまたは枯渇に近づいていることを示す、ユーザへの補充通知を生成することを備える、Ｃ１に記載の方法。
［Ｃ１４］
補充通知を生成することは、
１つまたは複数の消費品目についての量データが前記消費品目に関連する量しきい値を下回ると判断することと、
前記補充通知を生成することとを備える、Ｃ１３に記載の方法。
［Ｃ１５］
前記消費メトリックが消費品目についての消費率を備え、
補充通知を生成することは、
前記消費率に基づいて、前記消費品目が、あらかじめ設定された時間期間内に枯渇することが予想されると判断することと、
前記補充通知を生成することとを備える、Ｃ１３に記載の方法。
［Ｃ１６］
前記消費品目についての前記あらかじめ設定された時間期間がユーザによって選択可能である、Ｃ１５に記載の方法。
［Ｃ１７］
複数のリモート重量感知面から１つまたは複数の消費品目についての識別および量データを受信し、前記１つまたは複数の消費品目についての消費メトリックを判断するコレクタモジュールと、
前記消費メトリックに基づいて消費関係情報を生成する消費関係情報生成器モジュールとを備える、装置。
［Ｃ１８］
前記コレクタモジュールが、前記複数のユーザからの前記受信された情報に基づいて前記１つまたは複数の消費品目についての集積消費メトリックを判断する、Ｃ１７に記載の装置。
［Ｃ１９］
前記消費関係情報生成器が、前記集積消費メトリックに基づいて前記複数のユーザのための前記１つまたは複数の消費品目の十分な供給を与える際に使用するサプライチェーン流通情報を提供する、Ｃ１８に記載の装置。
［Ｃ２０］
前記複数のユーザが、定義された地理的エリアと、定義された購買層と、定義された利益団体と、定義されたソーシャルネットワークとのうちの１つまたは複数内のユーザを備える、Ｃ１８に記載の装置。
［Ｃ２１］
前記消費関係情報が、前記１つまたは複数の消費品目についての前記消費メトリックに基づく１つまたは複数のレシピを備える、Ｃ１７に記載の装置。
［Ｃ２２］
前記消費関係情報が第１の重量感知面の第１のユーザのための健康アドバイスを備える、Ｃ１７に記載の装置。
［Ｃ２３］
前記健康アドバイスは、１つまたは複数の消費品目の消費がターゲットしきい値から所定の差を超えることを示す警告を備える、Ｃ２２に記載の装置。
［Ｃ２４］
前記消費関係情報が、第１の重量感知面に関連する第１のユーザによって消費される１つまたは複数の消費品目についての、前記第１のユーザのためのクーポンを備える、Ｃ１７に記載の装置。
［Ｃ２５］
前記消費関係情報が、第１の重量感知面に関連する第１のユーザによって消費される１つまたは複数の消費品目についての前記消費メトリックに基づいて、前記第１のユーザへの方向づけられた広告を備える、Ｃ１７に記載の装置。
［Ｃ２６］
前記コレクタモジュールが、前記１つまたは複数の消費品目についての識別および量データの定期的更新を受信し、前記１つまたは複数の消費品目の枯渇率に基づいて前記消費メトリックを判断する、Ｃ１７に記載の装置。
［Ｃ２７］
前記消費メトリックが、前記１つまたは複数の消費品目の複数の補充にわたる１つまたは複数の第１の消費品目の平均枯渇率に基づいて判断される、Ｃ２６に記載の装置。
［Ｃ２８］
前記消費関係情報生成器は、１つまたは複数の消費品目が枯渇したかまたは枯渇に近づいていることを示す補充通知を、重量感知面のユーザに与える、Ｃ１７に記載の装置。
［Ｃ２９］
前記消費メトリックが消費品目についての消費率を備え、
前記消費関係情報生成器は、前記消費率に基づいて、前記消費品目があらかじめ設定された時間期間内に枯渇することが予想されると判断し、前記補充通知を生成する、Ｃ２８に記載の装置。
［Ｃ３０］
受信するための手段から遠く離れた複数の重量感知手段から、１つまたは複数の消費品目についての識別および量データを受信するための手段と、
前記受信されたデータに基づいて前記１つまたは複数の消費品目についての消費メトリックを判断するための手段と、
前記消費メトリックに基づいて消費関係情報を生成するための手段とを備えるシステム。
［Ｃ３１］
前記複数の重量感知手段が複数の異なるユーザに関連し、
消費メトリックを判断するための前記手段が、前記複数の異なるユーザからの前記受信された情報に基づいて前記１つまたは複数の消費品目についての集積消費メトリックを判断するための手段を備える、Ｃ３０に記載のシステム。
［Ｃ３２］
消費関係情報を生成するための前記手段が、
前記複数のユーザのための前記１つまたは複数の消費品目の補充に対する十分な供給を与える際に使用するサプライチェーン流通情報を生成するための手段を備える、Ｃ３１に記載のシステム。
［Ｃ３３］
前記複数のユーザが、定義された地理的エリアと、定義された購買層と、定義された利益団体と、定義されたソーシャルネットワークとのうちの１つまたは複数内のユーザを備える、Ｃ３１に記載のシステム。
［Ｃ３４］
前記消費関係情報が、前記１つまたは複数の消費品目についての前記消費メトリックに基づく１つまたは複数のレシピを備える、Ｃ３０に記載のシステム。
［Ｃ３５］
前記消費関係情報が第１の重量感知手段の第１のユーザのための健康アドバイスを備える、Ｃ３０に記載のシステム。
［Ｃ３６］
前記健康アドバイスは、１つまたは複数の消費品目の消費がターゲットしきい値から所定の差を超えることを示す、前記第１のユーザへの警告を備える、Ｃ３５に記載のシステム。
［Ｃ３７］
識別および量データを受信するための前記手段が、識別および量データを周期的に受信するための手段を備え、
消費メトリックを判断するための前記手段が、経時的な量データの差に基づいて消費メトリックを判断するための手段を備える、Ｃ３０に記載のシステム。
［Ｃ３８］
コンピュータシステムにおいて、前記コンピュータシステムから遠く離れた複数の重量感知デバイスから、１つまたは複数の消費品目についての識別および量データを受信するためのコードと、
前記受信されたデータに基づいて前記１つまたは複数の消費品目についての消費メトリックを判断するためのコードと、
前記消費メトリックに基づいて消費関係情報を生成するためのコードとを備える非一時的コンピュータ可読媒体を備えるコンピュータプログラム製品。
［Ｃ３９］
前記複数の重量感知デバイスが複数の異なるユーザに関連し、
消費メトリックを判断するための前記コードが、前記複数の異なるユーザからの前記受信された情報に基づいて前記１つまたは複数の消費品目についての集積消費メトリックを判断するためのコードを備える、Ｃ３８に記載のコンピュータプログラム製品。
［Ｃ４０］
消費関係情報を生成するための前記コードが、前記複数のユーザのための前記１つまたは複数の消費品目の補充に対する十分な供給を与える際に使用するサプライチェーン流通情報を生成するためのコードを備える、Ｃ３９に記載のコンピュータプログラム製品。
［Ｃ４１］
前記複数のユーザが、定義された地理的エリアと、定義された購買層と、定義された利益団体と、定義されたソーシャルネットワークとのうちの１つまたは複数内のユーザを備える、Ｃ３９に記載のコンピュータプログラム製品。
［Ｃ４２］
前記消費関係情報が、前記１つまたは複数の消費品目についての前記消費メトリックに基づく１つまたは複数のレシピを備える、Ｃ３８に記載のコンピュータプログラム製品。
［Ｃ４３］
前記消費関係情報が第１の重量感知面の第１のユーザのための健康アドバイスを備える、Ｃ３８に記載のコンピュータプログラム製品。
［Ｃ４４］
前記健康アドバイスは、１つまたは複数の消費品目の消費がターゲットしきい値から所定の差を超えることを示す、前記第１のユーザへの警告を備える、Ｃ４３に記載のコンピュータプログラム製品。
［Ｃ４５］
消費関係情報を生成するための前記コードが、第１の重量感知面に関連する第１のユーザによって消費される１つまたは複数の消費品目についての、前記第１のユーザのためのクーポンを生成するためのコードを備える、Ｃ３８に記載のコンピュータプログラム製品。
［Ｃ４６］
消費関係情報を生成するための前記コードが、第１の重量感知面に関連する第１のユーザによって消費される１つまたは複数の消費品目についての前記消費メトリックに基づいて、前記第１のユーザに方向づけられた広告を提供するためのコードを備える、Ｃ３８に記載のコンピュータプログラム製品。
［Ｃ４７］
識別および量データを受信するための前記コードが、識別および量データを周期的に受信するためのコードを備え、
消費メトリックを判断するための前記コードが、経時的な量データの差に基づいて消費メトリックを判断するためのコードを備える、Ｃ３８に記載のコンピュータプログラム製品。
［Ｃ４８］
識別および量データを受信するための前記コードが、第１の消費品目についての識別および量データを周期的に受信するためのコードを備え、
消費メトリックを判断するための前記コードが、前記第１の消費品目の枯渇率に基づいて消費メトリックを判断するためのコードを備える、Ｃ３８に記載のコンピュータプログラム製品。